(57)【要約】【課題】  水泳用ゴーグル着用時の調整が迅速に行なえる水泳用ゴーグルの提供。【解決手段】  左右のレンズを収容する左右のリム、左右のリムの間に設けられた連接装置、左右のリムの外側に組付けられたヘッドバンドを具え、左右のレンズの外側に調整装置が設けられ、該調整装置は、相互に一体に組付けられてヘッドバンドを通して固定するのに用いられるベースとカバー、及び該ベースと該カバーの間に組付けられててこ方式で枢設されたボタンと係止アーム、及び組付シートに設置されてボタンの回復力を提供する二つの弾性アームを具え、該係止アームはヘッドバンドの係止溝を単一方向に係止し、使用者がヘッドバンドを直接引っ張り緊緩を調整でき、或いはボタンを押して係止アームの係止解除し、ヘッドバンドの調整を行なうことができるものとされている。【選択図】        図１
0003106085.tif 000002
【実用新案登録請求の範囲】
【請求項１】
水泳用ゴーグルにおいて、該水泳用ゴーグルは左右のリムと、調整装置とを具え、
該左右のリムは、連接装置により一体に接続され、各リムは外表面と内表面を具え、該外表面と内表面の間に収容溝が設けられてレンズを収容し、左右のリムの外側縁より組付シートが延伸され、該組付シートに第１係合部と第２係合部が設けられ、
該調整装置は左右のリムの組付シートに組付けられ、ベースと固定支持軸と弾性手段とカバーを具え、
該ベースは対向するよう設置された両側面を具え、且つ両側面に対向する枢設孔が設けられ、ガイドロッドが両側面の間に設けられて枢設孔の一側に近接し、ヘッドバンド穿孔がガイドロッドと枢設孔の間に位置してヘッドバンドを通すのに供され、ストッパ面が両側面の間に設けられてガイドロッドと反対に位置し、嵌合体が第１係合部に対応してそれと嵌合し、
該固定支持軸は該ベースの枢設孔に枢設され、ガイドロッドに接近する一側に係止アームが設けられ、係止アームと反対の一側にボタンが設けられ、
該弾性手段はボタン押し下げ後の回復力を提供し、
該カバーはベースに組付けられ、ボタンに対応する穿孔と、第２係合部に対応する係止体を具え、
使用者が水泳用ゴーグルを取り外す必要なく直接ヘッドバンドを引っ張って緊緩の調整が行なえ、或いはボタンを押して係止アームに係止解除させてヘッドバンドの長さ調整を行なうことができることを特徴とする、水泳用ゴーグル。
【請求項２】
請求項１記載の水泳用ゴーグルにおいて、組付シートのサイズがリムの外側縁より小さく、階段状を形成し、ベースとカバーを組付け後にリムの外側縁と揃えられることを特徴とする、水泳用ゴーグル。
【請求項３】
請求項２記載の水泳用ゴーグルにおいて、弾性手段が二つの弾性アームとされてボタンの両側に組付けられ、各弾性アームの一端が固定支持軸に固定され、別端がストッパ面に跨設され、且つ弾性アームのストッパ面に跨設される一端が折り曲げられて円弧形とされたことを特徴とする、水泳用ゴーグル。
【請求項４】
請求項３記載の水泳用ゴーグルにおいて、ストッパ面に二つの弾性アームに対応して凹部が設けられたことを特徴とする、水泳用ゴーグル。
【請求項５】
請求項４記載の水泳用ゴーグルにおいて、ストッパ面の高さがベースの両側面より高く、二つの弾性アームが傾斜する跨設状態を形成することを特徴とする、水泳用ゴーグル。
【請求項６】
請求項５記載の水泳用ゴーグルにおいて、第１係合部が組付シートの外側辺縁に形成された係止條とされ、ベースの嵌合体が嵌め溝とされて、該係止條と該嵌め溝が嵌合され一体とされたことを特徴とする、水泳用ゴーグル。
【請求項７】
請求項６記載の水泳用ゴーグルにおいて、第２係合部は第１係合部と反対の一側の組付シートとリム外側縁の接続部分に設けられた二つの位置決め溝とされ、カバーの係止体は係止柱とされて該位置決め溝と係止柱が嵌合され一体とされたことを特徴とする、水泳用ゴーグル。
【請求項８】
請求項７記載の水泳用ゴーグルにおいて、組付シートの第２係合部の反対側に凹溝が設けられたことを特徴とする、水泳用ゴーグル。
【請求項９】
請求項１記載の水泳用ゴーグルにおいて、ベースとカバーの組合せ固定が、ベースの底部の両側に設けられた係止溝と、カバーの対応部分に設けられた結合柱の係合により達成されることを特徴とする、水泳用ゴーグル。
【請求項１０】
請求項１記載の水泳用ゴーグルにおいて、ボタンが手部による押圧操作に便利な傾斜表面を具えたことを特徴とする、水泳用ゴーグル。
【請求項１１】
請求項１０記載の水泳用ゴーグルにおいて、固定支持軸からボタンの傾斜表面の上端までの距離が、固定支持軸から係止アーム末端までの距離より大きく、これによりボタンを楽に押して係止アームに対応する運動を行なわせられることを特徴とする、水泳用ゴーグル。
【請求項１２】
水泳用ゴーグルにおいて、該水泳用ゴーグルは左右のリムと、連接装置、調整装置を具え、
該左右のリムは、硬質材料で形成され、各リムは外表面と内表面を具え、該外表面と内表面の間に収容溝が設けられてレンズを収容し、左右のリムの内側縁より支持体が延伸され、左右のリムの外側縁より組付シートが延伸され、該組付シートに第１係合部と第２係合部が設けられ、
該連接装置は軟性材質で形成され、一体式ブリッジ、被覆フレーム、及び保護パッドを具え、該ブリッジは支持体をその内側に被覆し、被覆フレームはリムの内表面に一体に設けられ、左右のリムを一体に接続し、
該調整装置は左右のリムの組付シートに組付けられ、ベース、固定支持軸、二つの弾性アーム、カバーを具え、
該ベースは対向するよう設置された両側面を具え、且つ両側面に対向する枢設孔が設けられ、ガイドロッドが両側面の間に設けられて枢設孔の一側に近接し、ヘッドバンド穿孔がガイドロッドと枢設孔の間に位置してヘッドバンドを通すのに供され、ストッパ面が両側面の間に設けられてガイドロッドと反対に位置し、嵌合体が第１係合部に対応してそれと嵌合し、ベースの底部の両側に係止溝が設けられ、
該固定支持軸は該ベースの枢設孔に枢設され、ガイドロッドに接近する一側に係止アームが設けられ、係止アームと反対の一側にボタンが設けられ、
該二つの弾性アームはボタンの両側に設けられ、各弾性アームの一端が固定支持軸に固定され、別端がストッパ面に跨設され、
該カバーはベースに組付けられ、ボタンに対応する穿孔と、第２係合部に対応する係止体を具え、且つベースの係止溝に対応する結合柱を具え、
使用者が水泳用ゴーグルを取り外す必要なく直接ヘッドバンドを引っ張って緊緩の調整が行なえ、或いはボタンを押して係止アームに係止解除させてヘッドバンドの長さ調整を行なうことができることを特徴とする、水泳用ゴーグル。
【請求項１３】
請求項１２記載の水泳用ゴーグルにおいて、組付シートのサイズがリムの外側縁より小さく、階段状を形成し、ベースとカバーを組付けた後にリムの外側縁と揃えられることを特徴とする、水泳用ゴーグル。
【請求項１４】
請求項１３記載の水泳用ゴーグルにおいて、ストッパ面に二つの弾性アームに対応して凹部が設けられたことを特徴とする、水泳用ゴーグル。
【請求項１５】
請求項１４記載の水泳用ゴーグルにおいて、弾性アームのストッパ面に跨設される一端が折り曲げられて円弧形とされたことを特徴とする、水泳用ゴーグル。
【請求項１６】
請求項１５記載の水泳用ゴーグルにおいて、第１係合部が組付シートの外側辺縁に形成された係止條とされ、ベースの嵌合体が嵌め溝とされて、該係止條と該嵌め溝が嵌合され一体とされたことを特徴とする、水泳用ゴーグル。
【請求項１７】
請求項１６記載の水泳用ゴーグルにおいて、第２係合部は第１係合部と反対の一側の組付シートとリム外側縁の接続部分に設けられた二つの位置決め溝とされ、カバーの係止体は係止柱とされて該位置決め溝と係止柱が嵌合され一体とされたことを特徴とする、水泳用ゴーグル。
【請求項１８】
請求項１２記載の水泳用ゴーグルにおいて、レンズの周囲に注入孔が設けられて左右のリムとの結合が強化されたことを特徴とする、水泳用ゴーグル。
【請求項１９】
請求項１２記載の水泳用ゴーグルにおいて、ボタンが手部による押圧操作に便利な傾斜表面を具えたことを特徴とする、水泳用ゴーグル。
【請求項２０】
請求項１９記載の水泳用ゴーグルにおいて、固定支持軸からボタンの傾斜表面の上端までの距離が、固定支持軸から係止アーム末端までの距離より大きく、これによりボタンを楽に押して係止アームに対応する運動を行なわせられることを特徴とする、水泳用ゴーグル。
【考案の詳細な説明】
【技術分野】
【０００１】
本考案は一種の水泳用ゴーグルに係り、特に水泳用ゴーグルを取り外さなくとも水泳用ゴーグルのヘッドバンドに対する調整が迅速に行なえ、着用使用に更に便利とされた水泳用ゴーグルに関する。
【背景技術】
【０００２】
水泳用ゴーグルの構造は、左リム、右リム、ブリッジ、及びヘッドバンド装置を具え、該ヘッドバンド装置はヘッドバンドと該ヘッドバンドの長さ調整用の調整バックルを具えている。周知のとおり、周知の水泳用ゴーグルを頭上で調整するためには、水泳用ゴーグルを取り外してヘッドバンドの長さを調整しなければならず、調整過程でヘッドバンドが真に頭部の長さに符合するかを知る事ができないため、何度も着脱して調整を行なわねばならず、操作が面倒で不便であり、且つ理想の状態に調整するのが難しい。
【考案の開示】
【考案が解決しようとする課題】
【０００３】
本考案の主要な目的は、ヘッドバンド調整時に水泳用ゴーグルを頭部より取り外す必要がなく、非常に迅速に一度でヘッドバンドの調整位置決めが行なえるか或いは微調整が行なえ、着用者の実際の要求に符合させることができる水泳用ゴーグルを提供することにある。
【課題を解決するための手段】
【０００４】
請求項１の考案は、水泳用ゴーグルにおいて、該水泳用ゴーグルは左右のリムと、調整装置とを具え、
該左右のリムは、連接装置により一体に接続され、各リムは外表面と内表面を具え、該外表面と内表面の間に収容溝が設けられてレンズを収容し、左右のリムの外側縁より組付シートが延伸され、該組付シートに第１係合部と第２係合部が設けられ、
該調整装置は左右のリムの組付シートに組付けられ、ベースと固定支持軸と弾性手段とカバーを具え、
該ベースは対向するよう設置された両側面を具え、且つ両側面に対向する枢設孔が設けられ、ガイドロッドが両側面の間に設けられて枢設孔の一側に近接し、ヘッドバンド穿孔がガイドロッドと枢設孔の間に位置してヘッドバンドを通すのに供され、ストッパ面が両側面の間に設けられてガイドロッドと反対に位置し、嵌合体が第１係合部に対応してそれと嵌合し、
該固定支持軸は該ベースの枢設孔に枢設され、ガイドロッドに接近する一側に係止アームが設けられ、係止アームと反対の一側にボタンが設けられ、
該弾性手段はボタン押し下げ後の回復力を提供し、
該カバーはベースに組付けられ、ボタンに対応する穿孔と、第２係合部に対応する係止体を具え、
使用者が水泳用ゴーグルを取り外す必要なく直接ヘッドバンドを引っ張って緊緩の調整が行なえ、或いはボタンを押して係止アームに係止解除させてヘッドバンドの長さ調整を行なうことができることを特徴とする、水泳用ゴーグルとしている。
請求項２の考案は、請求項１記載の水泳用ゴーグルにおいて、組付シートのサイズがリムの外側縁より小さく、階段状を形成し、ベースとカバーを組付けた後にリムの外側縁と揃えられることを特徴とする、水泳用ゴーグルとしている。
請求項３の考案は、請求項２記載の水泳用ゴーグルにおいて、弾性手段が二つの弾性アームとされてボタンの両側に組付けられ、各弾性アームの一端が固定支持軸に固定され、別端がストッパ面に跨設され、且つ弾性アームのストッパ面に跨設される一端が折り曲げられて円弧形とされたことを特徴とする、水泳用ゴーグルとしている。
請求項４の考案は、請求項３記載の水泳用ゴーグルにおいて、ストッパ面に二つの弾性アームに対応して凹部が設けられたことを特徴とする、水泳用ゴーグルとしている。
請求項５の考案は、請求項４記載の水泳用ゴーグルにおいて、ストッパ面の高さがベースの両側面より高く、二つの弾性アームが傾斜する跨設状態を形成することを特徴とする、水泳用ゴーグルとしている。
請求項６の考案は、請求項５記載の水泳用ゴーグルにおいて、第１係合部が組付シートの外側辺縁に形成された係止條とされ、ベースの嵌合体が嵌め溝とされて、該係止條と該嵌め溝が嵌合され一体とされたことを特徴とする、水泳用ゴーグルとしている。
請求項７の考案は、請求項６記載の水泳用ゴーグルにおいて、第２係合部は第１係合部と反対の一側の組付シートとリム外側縁の接続部分に設けられた二つの位置決め溝とされ、カバーの係止体は係止柱とされて該位置決め溝と係止柱が嵌合され一体とされたことを特徴とする、水泳用ゴーグルとしている。
請求項８の考案は、請求項７記載の水泳用ゴーグルにおいて、組付シートの第２係合部の反対側に凹溝が設けられたことを特徴とする、水泳用ゴーグルとしている。
請求項９の考案は、請求項１記載の水泳用ゴーグルにおいて、ベースとカバーの組合せ固定が、ベースの底部の両側に設けられた係止溝と、カバーの対応部分に設けられた結合柱の係合により達成されることを特徴とする、水泳用ゴーグルとしている。
請求項１０の考案は、請求項１記載の水泳用ゴーグルにおいて、ボタンが手部による押圧操作に便利な傾斜表面を具えたことを特徴とする、水泳用ゴーグルとしている。
請求項１１の考案は、請求項１０記載の水泳用ゴーグルにおいて、固定支持軸からボタンの傾斜表面の上端までの距離が、固定支持軸から係止アーム末端までの距離より大きく、これによりボタンを楽に押して係止アームに対応する運動を行なわせられることを特徴とする、水泳用ゴーグルとしている。
請求項１２の考案は、水泳用ゴーグルにおいて、該水泳用ゴーグルは左右のリムと、連接装置、調整装置を具え、
該左右のリムは、硬質材料で形成され、各リムは外表面と内表面を具え、該外表面と内表面の間に収容溝が設けられてレンズを収容し、左右のリムの内側縁より支持体が延伸され、左右のリムの外側縁より組付シートが延伸され、該組付シートに第１係合部と第２係合部が設けられ、
該連接装置は軟性材質で形成され、一体式ブリッジ、被覆フレーム、及び保護パッドを具え、該ブリッジは支持体をその内側に被覆し、被覆フレームはリムの内表面に一体に設けられ、左右のリムを一体に接続し、
該調整装置は左右のリムの組付シートに組付けられ、ベース、固定支持軸、二つの弾性アーム、カバーを具え、
該ベースは対向するよう設置された両側面を具え、且つ両側面に対向する枢設孔が設けられ、ガイドロッドが両側面の間に設けられて枢設孔の一側に近接し、ヘッドバンド穿孔がガイドロッドと枢設孔の間に位置してヘッドバンドを通すのに供され、ストッパ面が両側面の間に設けられてガイドロッドと反対に位置し、嵌合体が第１係合部に対応してそれと嵌合し、ベースの底部の両側に係止溝が設けられ、
該固定支持軸は該ベースの枢設孔に枢設され、ガイドロッドに接近する一側に係止アームが設けられ、係止アームと反対の一側にボタンが設けられ、
該二つの弾性アームはボタンの両側に設けられ、各弾性アームの一端が固定支持軸に固定され、別端がストッパ面に跨設され、
該カバーはベースに組付けられ、ボタンに対応する穿孔と、第２係合部に対応する係止体を具え、且つベースの係止溝に対応する結合柱を具え、
使用者が水泳用ゴーグルを取り外す必要なく直接ヘッドバンドを引っ張って緊緩の調整が行なえ、或いはボタンを押して係止アームに係止解除させてヘッドバンドの長さ調整を行なうことができることを特徴とする、水泳用ゴーグルとしている。
請求項１３の考案は、請求項１２記載の水泳用ゴーグルにおいて、組付シートのサイズがリムの外側縁より小さく、階段状を形成し、ベースとカバーを組付けた後にリムの外側縁と揃えられることを特徴とする、水泳用ゴーグルとしている。
請求項１４の考案は、請求項１３記載の水泳用ゴーグルにおいて、ストッパ面に二つの弾性アームに対応して凹部が設けられたことを特徴とする、水泳用ゴーグルとしている。
請求項１５の考案は、請求項１４記載の水泳用ゴーグルにおいて、弾性アームのストッパ面に跨設される一端が折り曲げられて円弧形とされたことを特徴とする、水泳用ゴーグルとしている。
請求項１６の考案は、請求項１５記載の水泳用ゴーグルにおいて、第１係合部が組付シートの外側辺縁に形成された係止條とされ、ベースの嵌合体が嵌め溝とされて、該係止條と該嵌め溝が嵌合され一体とされたことを特徴とする、水泳用ゴーグルとしている。
請求項１７の考案は、請求項１６記載の水泳用ゴーグルにおいて、第２係合部は第１係合部と反対の一側の組付シートとリム外側縁の接続部分に設けられた二つの位置決め溝とされ、カバーの係止体は係止柱とされて該位置決め溝と係止柱が嵌合され一体とされたことを特徴とする、水泳用ゴーグルとしている。
請求項１８の考案は、請求項１２記載の水泳用ゴーグルにおいて、レンズの周囲に注入孔が設けられて左右のリムとの結合が強化されたことを特徴とする、水泳用ゴーグルとしている。
請求項１９の考案は、請求項１２記載の水泳用ゴーグルにおいて、ボタンが手部による押圧操作に便利な傾斜表面を具えたことを特徴とする、水泳用ゴーグルとしている。
請求項２０の考案は、請求項１９記載の水泳用ゴーグルにおいて、固定支持軸からボタンの傾斜表面の上端までの距離が、固定支持軸から係止アーム末端までの距離より大きく、これによりボタンを楽に押して係止アームに対応する運動を行なわせられることを特徴とする、水泳用ゴーグルとしている。
【考案の効果】
【０００５】
本考案の水泳用ゴーグルは、ヘッドバンド調整時に水泳用ゴーグルを頭部より取り外す必要がなく、非常に迅速に一度でヘッドバンドの調整位置決めが行なえるか或いは微調整が行なえ、着用者の実際の要求に符合させることができる。
【考案を実施するための最良の形態】
【０００６】
本考案によると、水泳用ゴーグルのリムの外側縁に調整装置が設けられ、該調整装置は、相互に一体に組付けられてヘッドバンドを通して固定するのに用いられるベースとカバー、及び該ベースと該カバーの間に組付けられて、てこ方式で枢設されたボタンと係止アーム、及び組付シートに設置されてボタンの回復力を提供する弾性手段を具え、該係止アームはヘッドバンドの係止溝を単一方向に係止し、使用者がヘッドバンドを直接引っ張り緊緩を調整でき、或いはボタンを押して係止アームの係止解除し、ヘッドバンドの調整を行なうことができるものとされている。
該弾性手段は、ボタンの両側に組付けられた弾性アームを具え、各弾性アームの一端はボタンと係止アームの固定支持軸に固定され、別端はベースに跨設され、ボタンが押し下げられる時、弾性アームは固定支持軸に伴い下向きに圧縮され、下に凹んでひずみを形成してエネルギーを保存し、一旦ボタンに対する押圧が解除されると、二つの弾性アームがその保存したエネルギーによりボタンをもとの位置に回復させる。
【実施例１】
【０００７】
図１を参照されたい。水泳用ゴーグル１は、左リム２、右リム３、調整装置４、連接装置５、及びヘッドバンド（図１には未表示である。図４、５に符号８を以て示され、それには複数の係止溝８０が設けられている。）を具え、該左リム２、右リム３は硬質材料で形成され、各リムはそれぞれ外表面２０、３０と内表面２１、３１を具えている。外表面２０、３０と内表面２１、３１の間に収容溝２２、３２が設けられてレンズ９を収容し、該レンズ９の周囲に注入孔９０が設けられて左リム２、右リム３成形時に強固に結合される。また、左リム２、右リム３の外側縁よりそれぞれサイズが小さい組付シート２３（図面には僅かに左リムしか示されていないが、右リムの組付シートの構造はそれと同じである）が延伸され、左リム２、右リム３の外側縁と階段状を形成している。且つ組付シート２３に第１係合部と第２係合部が設けられ、該第１係合部は組付シート２３の外側辺縁に形成された係止條２４（図１には未表示。図４を参照されたい。）とされ、第２係合部は第１係合部と反対の一側の組付シート２３と左リム２、右リム３の外側縁との接合部分に設置された二つの位置決め溝２５とされ、反対側に凹溝２６が形成されている。また、左リム２、右リム３の内側縁より支持体２７、３７が延伸され、左リム２、右リム３を連接装置５と有効に接続させ、且つ二つの支持体２７、３７が延伸されて接続部２８で接続されている。
【０００８】
該連接装置５は軟性材料で形成され、それは、一体式のブリッジ５０、被覆フレーム５１及び保護パッド５２を具え、該ブリッジ５０は支持体２７、３７を内側に被覆し、被覆フレーム５１は左リム２、右リム３の内表面２１、３１に一体成形により組付けられ、こうして、左リム２、右リム３と一体に接続される。該保護パッド５２は柔軟に顔部と接触する。
【０００９】
該調整装置４は左リム２、右リム３の組付シート２３に組付けられ、それは、ベース４０、固定支持軸４１、二つの弾性アーム４２、及びカバー４３を具えている。該ベース４０は対向するよう設置された両側面４０１、４０２を具え、且つ両側面４０１、４０２に相互に対応する枢設孔４０３が設けられて固定支持軸４１が枢設される。ガイドロッド４０４が両側面４０１、４０２の間にあって該枢設孔４０３に近接するよう設けられ、ヘッドバンドを通して掛けるのに用いられる。ストッパ面４０５が両側面４０１、４０２の間に設けられ、その高さは両側面４０１、４０２よりやや高く、それは該ガイドロッド４０４に対応し、且つそれに凹部４０６が設けられている。嵌合体４０７は嵌め溝とされ、それは組付シート２３の係止條２４（即ち第１係合部。図４参照。）に対応しそれと嵌合される。また、ヘッドバンド穿孔４０８がヘッドバンドを通すのに用いられる。
【００１０】
該固定支持軸４１は、ベース４０の枢設孔４０３に枢設され、その一側に係止アーム４１０が設けられてヘッドバンド８の係止溝８０を係止するのに用いられる（図４）。係止アーム４１０と反対の一側にボタン４１１が設けられ、該ボタン４１１は傾斜表面を具えて手部による押圧操作に供される。注意すべきは、図５に示されるように、該ボタン４１１と該係止アーム４１０はてこ式に枢設され、且つ該固定支持軸４１よりボタン４１１の傾斜表面上端までの距離Ｔ１は固定支持軸４１から係止アーム４１０末端までの距離Ｔ２より大きく、これにより、該固定支持軸４１を中心として、軽くボタン４１１を押して係止アーム４１０に対応する運動を行なわせることができることである。
【００１１】
二つの弾性アーム４２はボタン４１１の両側に組付けられ、各弾性アーム４２の一端は固定支持軸４１より一体に延伸され、別端は折り曲げられて円弧形とされ該ストッパ面４０５の凹部４０６に跨設され、該ストッパ面４０５は両側面４０１、４０２よりやや高く、これにより二つの弾性アーム４２が傾斜する跨設状態を形成し、良好な作動空間を提供する。特に強調すべきことは、ボタンに回復力を提供する別の方式として、圧縮バネを使用することもでき、それはボタンの下方に設けられ、ボタン押圧後の回復力を提供する。
【００１２】
該カバー４３はベース４０に固定され、それにボタン４１１に対応する穿孔４３０が設けられるほか、組付シート２３の二つの位置決め溝２５に対応する係止体４３１が設けられて相互に係合され一体とされる。また、ベース４０とカバー４３の組合せは、ベース４０の底部の対向する両側に設けられた係止溝４００に、カバー４３にあって該係止溝４００に対応する部分に設けられた結合柱４３２が係合されることで達成される。
【００１３】
図２、３に図１を併せて参照されたい。本考案の水泳用ゴーグル１は、レンズ９が硬質材料の左リム２、右リム３に一体に埋め込まれ、並びに軟性材料の連接装置５のブリッジ５０、被覆フレーム５１、及び保護パッド５２により左リム２、右リム３が一体に被覆される。その後、固定支持軸４１が枢設孔４０３に組付けられ、並びに二つの弾性アーム４２が凹部４０６と組付シート２３の凹溝２６に跨設され、こうして図２に示されるようになる。最後にカバー４３がベース４０に組付けられ、係止溝４００と結合柱４３２が相互に嵌合され、図３に示されるように組立が完成する。
【００１４】
組立完成後に、図４に示されるように、ヘッドバンド８がベース４０の底部よりヘッドバンド穿孔４０８に通されてガイドロッド４０４に掛けられ、並びに係止アーム４１０によりヘッドバンド８の係止溝８０が係止される。この時、ヘッドバンド８は単方向（即ち矢印の示す方向）のみに引っ張り可能とされ、即ち、この時、ヘッドバンド８を引っ張ってヘッドバンド８を引き絞ることができる。緊緩を調整する時は、図５に示されるように、ボタン４１１を下向きに押すと（このとき弾性アーム４２は下に凹んでひずみを発生してエネルギーを保存する）、係止アーム４１０が上向きとされて、係止溝８０との係合を解除し、この時、ヘッドバンド８は両方向に引っ張り可能とされ（即ち矢印の指す方向）、即ち、使用者はヘッドバンド８を別の一側に向けて引っ張って調整できる。一旦ボタン４１１を離すと、ボタン４１１は弾性アーム４２の回復作用により、もとの位置に回復し、並びに係止アーム４１０がヘッドバンド８の係止溝８０に係合する。
【００１５】
以上の本考案の特徴により、使用者は水泳用ゴーグルを頭上に装着する前に、ヘッドバンドを緩めて頭上に装着し、更にヘッドバンド８を左リム２、右リム３の両側より直接引っ張れば、一度で引き絞って位置決めでき、操作に相当に便利である。ヘッドバンド８を緩めたい時は、図５に示されるように、ボタン４１１を押し下げて、ヘッドバンド８の一辺を適度に緩め、さらにボタン４１１を開放すれば、調整が完成する。このように本考案の水泳用ゴーグルは頭上に着用後にヘッドバンドの長さに対して敏捷に緊緩の調整が行なえる。
【００１６】
総合すると本考案の水泳用ゴーグルはその目的を達成し、実用新案登録の要件を具備している。なお、以上の実施例は説明のために提示されたものであり、本考案の請求範囲を限定するものではなく、本考案に基づきなしうる細部の修飾或いは改変は、いずれも本考案の請求範囲に属するものとする。
【図面の簡単な説明】
【００１７】
【図１】本考案の水泳用ゴーグルの立体分解図である。
【図２】図１のカバーを取り付ける前の立体組合せ図である。
【図３】図２の立体組合せ図である。
【図４】図３の４−４断面図である。
【図５】図４のボタン押し下げの表示図である。
【符号の説明】
【００１８】
１  水泳用ゴーグル                      ２  左リム
３  右リム                              ４  調整装置
５  連接装置                            ８  ヘッドバンド
９  レンズ                              ２０、３０  外表面
２１、３１  内表面                      ２２、３２  収容溝
２３  組付シート                        ２４  係止條
２５  位置決め溝                        ２６  凹溝
２７、３７  支持体                      ２８  接続部
４０  ベース                            ４１  固定支持軸
４２  弾性アーム                        ４３  カバー
４０１、４０２  側面                    ４０３  枢設孔
４０４  ガイドロッド                    ４０５  ストッパ面
４０６  凹部                            ４０７  嵌合体
４０８  ヘッドバンド穿孔                ５０  ブリッジ
５１  被覆フレーム                      ５２  保護パッド
Ｔ１、Ｔ２  距離                        ８０  係止溝
【図１】
0003106085.tif 000003
【図２】
0003106085.tif 000004
【図３】
0003106085.tif 000005
【図４】
0003106085.tif 000006
【図５】
0003106085.tif 000007